(57)【特許請求の範囲】
【請求項１】
濾液を保持する濾液保持部と、該濾液保持部の底面の中央に設けられる濾液排出口に連通して設けられ、先端が減圧雰囲気に配置される導管とを備え、前記濾液保持部の底面に、濾液排出口と同心状の複数の同心溝と該各同心溝を連通する径方向の複数の径方向溝からなり、前記排出口に連通されて設けられる溝を有する吸引濾過用ロートにおいて、前記濾液保持部の底面上に装着される濾紙の下で、且つ、前記濾液排出口上の位置に固着又は着脱自在に配設され、前記導管先端からの吸引力に対抗して形状を保持する材質で形成され、最小直径を有する前記同心溝の直径より僅かに小さく、且つ、濾液排出口直径より大きい大きさを有する吸引濾過部材が装着された吸引濾過用ロート。
【請求項２】
前記材質が耐薬品性であることを特徴とする請求項１記載の吸引濾過用ロート。
【請求項３】
前記材質がフッ素樹脂製であることを特徴とする請求項１又は２記載の吸引濾過用ロート。
【請求項４】
濾液を保持する濾液保持部と、該濾液保持部の底面の中央に設けられる濾液排出口に連通して設けられ、先端が減圧雰囲気に配置される導管とを備え、前記濾液保持部の底面に、濾液排出口と同心状の複数の同心溝と該各同心溝を連通する径方向の複数の径方向溝からなり、前記排出口に連通されて設けられる溝を有するロートに適用される吸引濾過用部材であって、前記ロートの濾液保持部の底面上に装着される濾紙の下で、且つ、前記濾液排出口上の位置に固着又は着脱自在に配設され、前記導管先端からの吸引力に対抗して形状を保持する材質で形成され、最小直径を有する前記同心溝の直径より僅かに小さく、且つ、濾液排出口直径より大きい大きさを有することを特徴とする吸引濾過用部材。
【請求項５】
前記材質が耐薬品性であることを特徴とする請求項４記載の吸引濾過用部材。
【請求項６】
前記材質がフッ素樹脂製であることを特徴とする請求項４又は５記載の吸引濾過用部材。
【発明の詳細な説明】
【０００１】
【発明の属する技術分野】
本発明は、吸引濾過をする際の吸引濾過用ロート、吸引濾過用ロートに適用され、濾過漏れを生じさせない強度が向上された吸引濾過用部材に関する。
【０００２】
【従来の技術】
従来より、吸引濾過は濾紙を取り付けたロートからの濾液を受ける厚肉ガラス製の吸引フラスコを、減圧ポンプ等の吸引装置に連結し、吸引フラスコ内部を減圧することによって行われていた。吸引濾過を行う際のロートとしては、厚肉のガラス製又は磁製で、多数の小孔を設けた濾板をテーパー形状のロートの内側に密着させて置き、濾板の上に濾紙を置いたものや、多孔性のガラスフィルターをロート内部に融着させたものがあった。また、厚肉のガラス製又は磁製の円筒形の一端にテーパー部を設け、このテーパー部に接続される導管を備えたロートのテーパー部に、多数の小孔を持つ中段を設け、この中段上に濾紙を置いて使用する所謂ブフナーロートや、このようなブフナー型ロートの中段から下の部分の洗浄を可能としたブフナー型ロートの改良に係るろ過器等があった（実開昭６２−１３５０５号公報）。しかしながら、ブフナーロートは中段から下の部分については洗浄が非常に困難であり、ブフナー型ロートの改良に係わるろ過器は、中段の下部の洗浄は確実に行えるものであっても、部品数が多く、構造が複雑となってしまった。
【０００３】
このような吸引濾過に使用されるブフナー型ロートに対して、構造が簡単であって確実に洗浄を行うことができるロートとして、所謂桐山ロートが用いられている。桐山ロートは、厚肉のガラス製又は磁製で作成されたものであり、図３（ａ）、図４に示すように、濾液を保持する円筒状の濾液保持部１と、濾液保持部１の底面２の中央に設けられる濾液排出口４に連通して設けられる導管５と備え、濾液保持部１の底面２には濾液排出口４に連通して設けられる溝３が設けられ、濾液は溝３を伝わり、溝３に連通される濾液排出口４から、導管５を通って液受けに導かれるものである。この桐山ロートの底面２上に、図３（ｂ）に示すように、濾紙６が載置され、導管５の先端及び液受けとを減圧容器内に配置することにより、濾液保持部１に供給された液は、濾紙６により濾過され、溝３を通って、溝３が連通される濾液排出口４に導かれ、導管５から液受けに溜められる。
【０００４】
このような桐山ロートは、構造が簡単で取り扱い、特に、洗浄が容易であり、作業性がよく、吸引濾過に多用されている。しかしながら、濾紙６は、吸引装置に接続される濾液排出口４が設けられる底面２に直接載置され、濾紙６と濾液排出口４間には濾液が通過する溝３の深さの間隙が保持されるに過ぎないため、濾液排出口４上に配設される部分の濾紙６が導管５の方向に曲げられて変形し、最悪の場合、濾紙が破損して濾過漏れが起こるという問題があった。このため、濾紙６を２枚以上重ねて使用するといった対応を余儀なくされ、また、２枚以上重ねて使用した場合でも、吸引が強すぎた場合、濾液排出口４上の部分の濾紙が変形し、濾過漏れが生じるおそれもあった。
【０００５】
【発明が解決しようとする課題】
本発明は、吸引濾過を行う場合、簡単な構成で、確実に洗浄することができ、吸引が強すぎた場合でも濾紙が変形、破損することがなく、濾過漏れを確実に防止することができる吸引濾過用ロートや、吸引濾過用部材を提供することを目的とする。
【０００６】
【課題を解決するための手段】
本発明者は、構造が簡単であること、吸引による濾紙の破損を排除し濾過漏れの発生を防止することを基本コンセプトとして鋭意研究し、濾液が吸引される濾液排出口部位に吸引濾過用部材を載置すると、強く吸引した場合でも濾紙の破損が防げることを見い出し、本発明を完成するに至った。
【０００７】
すなわち本発明は、（１）濾液を保持する濾液保持部と、該濾液保持部の底面の中央に設けられる濾液排出口に連通して設けられ、先端が減圧雰囲気に配置される導管とを備え、前記濾液保持部の底面に、前記排出口に連通されて設けられる溝を有する吸引濾過用ロートにおいて、前記濾液保持部の底面上に装着される濾紙の下で、且つ、前記濾液排出口上の位置に固着又は着脱自在に配設され、前記導管先端からの吸引力に対抗して形状を保持する材質で形成された吸引濾過部材が装着されたことを特徴とする吸引濾過用ロートに関する。好ましくは、（２）前記材質が耐薬品性であることを特徴とする上記（１）記載の吸引濾過用ロートに関し、（３）前記材質がフッ素樹脂製であることを特徴とする上記（１）又は（２）いずれか記載の吸引濾過用ロートに関し、（４）前記溝が濾液排出口と同心状の複数の同心溝と、該各同心溝を連通する径方向の複数の径方向溝とを有し、前記吸引濾過部材が最小直径を有する前記同心溝の直径より僅かに小さく、且つ、濾液排出口直径より大きい大きさを有することを特徴とする上記（１）〜（３）記載の吸引濾過用ロートに関する。
【０００８】
また、本発明は（５）濾液を保持する濾液保持部と、該濾液保持部の底面の中央に設けられる濾液排出口に連通して設けられ、先端が減圧雰囲気に配置される導管とを備え、前記濾液保持部の底面に、前記排出口に連通されて設けられる溝を有するロートに適用される吸引濾過用部材であって、前記ロートの濾液保持部の底面上に装着される濾紙の下で、且つ、前記濾液排出口上の位置に固着又は着脱自在に配設され、前記導管先端からの吸引力に対抗して形状を保持する材質で形成されたことを特徴とする吸引濾過用部材に関する。好ましくは、（６）前記材質が耐薬品性であることを特徴とする上記（５）記載の吸引濾過用部材に関し、（７）前記材質がフッ素樹脂製であることを特徴とする上記（５）又は（６）何れか記載の吸引濾過用部材に関し、（８）前記ロートの溝が濾液排出口と同心状の複数の同心溝と、該各同心溝を連通する径方向の複数の径方向溝とを有するとき、最小直径を有する前記同心溝の直径より僅かに小さく、且つ、濾液排出口直径より大きい大きさを有することを特徴とする上記（５）〜（７）のいずれかに記載の吸引濾過用部材に関する。
【０００９】
【発明の実施の形態】
本発明の吸引濾過用ロートとしては、濾液を保持する濾液保持部と、該濾液保持部の底面の中央に設けられる濾液排出口に連通して設けられ、先端が減圧雰囲気に配置される導管とを備え、前記濾液保持部の底面に、前記排出口に連通されて設けられる溝を有する吸引濾過用ロートにおいて、前記濾液保持部の底面上に装着される濾紙の下で、且つ、前記濾液排出口上の位置に固着又は着脱自在に配設され、前記導管先端からの吸引力に対抗して形状を保持する材質で形成された吸引濾過部材が装着されたものであれば、特に制限されるものではないが、好ましくは、前記材質が耐薬品性であり、前記材質がテフロン（商品名）等のフッ素樹脂製であるものである。また、好ましくは、前記溝が濾液排出口と同心状の複数の同心溝と、該各同心溝を連通する径方向の複数の径方向溝とを有し、前記吸引濾過部材が最小直径を有する前記同心溝の直径より僅かに小さく、且つ、濾液排出口直径より大きい大きさを有するものである。
【００１０】
本発明の吸引濾過用ロートに備えられ、また本発明の吸引濾過用部材でもある吸引濾過用部材は、吸引による力が負荷されるロートの濾液保持部の底面に設けられる濾液排出口の位置に固着又は着脱自在に配設されるものであり、吸引による力が局部的に負荷され、貫通孔に引き込まれるように変形する部分の濾紙の変形を排除することができるものであれば、特に限定されるものではないが、耐薬品性であり、テフロン等のフッ素樹脂製シートで形成されることが好ましい。フッ素樹脂製シートは適度な強度を有し、その大きさは、濾液保持部の底面に設けられる溝が、貫通孔と同心状の複数の同心溝と、該各同心溝を連通する径方向の複数の径方向溝とからなるとき、最小直径を有する前記同心溝の直径より僅かに小さいものであれば、濾紙の変形を防止することができるものである。このため、フッ素樹脂製シートの厚さは０．１〜０．３ｍｍであることが望ましい。
【００１１】
本発明の吸引濾過用ロート又は吸引濾過用部材によれば、吸引による力が負荷されるロートの底面に設けられる濾液排出口の位置に吸引濾過部材が固着又は着脱自在に配設されるため、吸引力に対して、濾紙の変形を防止することができる。このため、簡単な構成により、吸引が強すぎた場合でも濾紙が変形、破損することがなく、濾過漏れを防止することができると共に、取り扱いが容易であり、洗浄を容易に行うことができ、作業効率を向上することができる。
特に、吸引濾過用部材としてフッ素樹脂製シートを適用した場合は、吸引に対する適度な強度を有し、濾紙の変形を確実に排除することができる。
【００１２】
本発明の吸引濾過用ロートの好ましい実施の形態を、図面を参照して説明する。
尚、図１（ａ）、（ｂ）は本発明の一実施例の吸引濾過用ロートの斜視図であり、図２は本発明の一実施例の吸引濾過用ロートの使用時の斜視図である。
本発明の吸引濾過用吸引濾過用ロート１０は、図１（ａ）に示すように、濾液を保持する円筒状の濾液保持部１と、濾液保持部１に接続される導管５とで構成されるものである。濾液保持部１には、底面２の中心部を貫通する濾液排出口が設けられ、濾液排出口４に連通して底面２に溝３が設けられる。溝３は、濾液保持部１の底面２に同心状に複数設けられる同心溝３ａと、各同心溝３ａを相互に連通する径方向溝３ｂとが、底面２の全面に亘って均等に形成されるものであり、これらの溝３は最終的に濾液保持部１の底面２の中央に設けられる濾液排出口４に連通されるようになっている。濾液排出口４に連通して導管５が備えられ、導管５により濾過された液を液受け１２に導くものである。このような吸引濾過用ロート１０は肉厚のガラス製、磁製であり、吸引による負荷に対抗できるようになっている。
【００１３】
このような吸引濾過用吸引濾過用ロート１０は、導管５が先端を減圧雰囲気に配置されるように、導管５から導かれる濾過された液を受ける液受け１２を包囲する吸引フラスコ１３により吸引されて用いられる。吸引フラスコ１３には、導管５が挿入される挿入口１３ａと、真空ポンプ（図示せず）等に接続される吸引口１３ｂとが備えられ、導管５を固定、支持するゴム栓１４により吸引濾過用ロート１０が挿入口１３ａに装着され、吸引フラスコ１３内部が気密に保持され、真空引きにより吸引濾過用ロート１０の導管５の先端雰囲気が所望の減圧雰囲気にできるようになっている。
【００１４】
このような吸引濾過用ロートには、図１（ａ）に示すように、吸引濾過用ロート１０の濾液排出口４上に吸引濾過部材１５が固着又は着脱自在に装着される。吸引濾過部材１５は吸引による力が負荷される吸引濾過用ロート１０の底面２に設けられる濾液排出口４の位置に装着されるものであり、吸引による力が局部的に負荷され、濾液排出口４に引き込まれるように変形する部分の濾紙の変形を排除することができるものであれば、特に限定されるものではないが、耐薬品性を有し、フッ素樹脂製シートで形成されることが好ましい。ここで、耐薬品性とは、アルカリ性、酸性、有機溶剤に対して耐性を有することであり、具体的には、テフロン等のフッ素樹脂製シートは強度の点でも適性であり、好ましい。テフロン等のフッ素樹脂製シートは最小直径を有する同心溝の直径より僅かに小さい大きさを有するものであれば、濾紙の変形を防止することができるものである。例えば、最小直径を有する同心溝の直径の内径が約１３ｍｍであれば、吸引濾過部材１５の直径は１０〜１３ｍｍの範囲であることが好ましく、特に、１０ｍｍ前後であることが好ましい。このようなフッ素樹脂製シートの厚さは０．１〜０．３ｍｍであることが好ましく、特に０．２ｍｍ前後であることが好ましい。
【００１５】
このような吸引濾過用吸引濾過用ロート１０は、図１（ｂ）に示すように、底面２に濾紙６が載置されて使用される。濾紙６は通常の吸引濾過に適用できるものであれば、特に限定されるものではない。濾紙６は、濾液排出口４上に配設される吸引濾過部材１５上に載置され吸引濾過部材１５の移動を防止し、装置の操作を容易にするものである。尚、濾紙６に、吸引濾過部材１５が固定されたものであってもよい。
【００１６】
このような吸引濾過部材が装着されたロートを用いて吸引濾過の動作について説明する。
吸引濾過部材１５が着脱自在のものである場合、吸引濾過用ロート１０の底面２に設けられる濾液排出口４上に、濾液保持部１の底面２に形成される最小直径を有する同心溝３ａの直径より僅かに小さい直径を有するように作成された吸引濾過部材１５を載置する。尚、吸引濾過部材１５が吸引濾過用ロート１０に固着されたものである場合は、ロートをそのまま使用することができる。吸引濾過用ロート１０の底面２の上に濾紙６を載置し、ゴム栓１４に導管５を挿入する。導管５の先端が液受け１２に挿入されるように、吸引フラスコ１３の挿入口１３ａにゴム栓１４を介して吸引濾過用ロート１０を装着する。吸引フラスコ１３の吸引口１３ｂに接続される真空ポンプにより吸引し、吸引フラスコ１３内を所望の圧力に減圧し、吸引濾過用ロート１０の濾液保持部１に濾液を供給して濾過を行う。濾液保持部１に供給された液は、濾紙６により濾過され、濾液は溝３を通って、溝３が連通される濾液排出口４に導かれ、導管５から液受け１２に溜められる。
上記説明は本発明の一実施例の説明であって、本発明はこれに限定されない。吸引や、ロートを固定する手段もこれに限定されず、ロートの導管に設けられた摺り合わせ部により固定するものであってもよい。
【００１７】
【発明の効果】
上記説明からも明らかなように、本発明の吸引濾過用ロート又は吸引濾過用部材によれば、吸引による力が負荷されるロートの底面に設けられる濾液排出口の位置に吸引濾過用部材が固定又は着脱自在に装着されるため、濾紙が吸引により変形を生じることがない。このため、濾紙の破損が生じることがなく、濾過漏れを防止することができると共に、取り扱いが容易であり、特に洗浄を容易に行うことができ、作業効率を向上することができる。
【図面の簡単な説明】
【図１】（ａ）本発明の一実施例の吸引濾過用ロートを示す斜視図である。
（ｂ）本発明の一実施例の吸引濾過用ロートを示す斜視図である。
【図２】本発明の一実施例の吸引濾過用ロートの使用方法を示す斜視図である。
【図３】（ａ）従来例のロート部分を示す斜視図である。
（ｂ）従来例のロート部分を示す斜視図である。
【図４】従来例のロート部分を示す断面図である。
【符号の説明】
１……濾液保持部
２……底面
３……溝
４……濾液排出口
５……導管
６……濾紙
１０……吸引濾過用ロート
１５……吸引濾過用部材
【図１】
0004707132.tif 000002
【図２】
0004707132.tif 000003
【図３】
0004707132.tif 000004
【図４】
0004707132.tif 000005